(57)【特許請求の範囲】
【請求項１】
脚と、上記脚の仮想面に延在し、上記脚の縁によって境界付けされる吸引開口と、上記脚を真空掃除機の吸引路に接続する接続部材とが設けられ、
上記脚には、上記縁の付近にブラシが設けられ、上記ブラシは、調節装置によって、上記ブラシが上記吸引開口内に引っ込められる第１の位置から、上記ブラシが上記吸引開口から出る第２の位置に動かされることが可能である、真空掃除機用の吸引付属装置であって、
上記脚は、上記接続部材に対し、上記吸引開口に対し略垂直に延在する回転軸の周りで第１の位置から少なくとも第２の位置となるよう回転可能であり、
上記調節装置は結合部材を含み、上記結合部材によって上記ブラシは上記接続部材に結合され、上記結合部材は、上記脚が上記第１の位置にあるときに上記ブラシをその第１の位置に保持し、上記脚が上記第２の位置にあるときに上記ブラシをその第２の位置に保持し、
上記接続部材は、上記吸引開口に対し略垂直に延在する中心軸を有する略円筒状の部分が設けられ、
上記脚は、上記円筒状の部分の周りを回転可能であるよう支承され、
その一方で、上記結合部材は、上記円筒状の部分の外壁に設けられる二つのスロットであり、二つの正反対の位置において交差して相互接続される二つのスロットと、上記中心軸と略平行な方向に移動可能であるよう上記脚内において案内される上記ブラシ用の支持体と、上記支持体上に設けられ、上記二つのスロットのそれぞれと係合する二つのスロット従動部とが設けられる、
ことを特徴とする吸引付属装置。
【請求項２】
上記脚はその第１の位置では、上記脚の移動方向に対し略垂直に延在し、その一方で、上記脚はその第２の位置では、上記第１の位置に対し略１８０°の角度で回転軸の周りを回転されることを特徴とする請求項１記載の吸引付属装置。
【請求項３】
上記脚は、上記移動方向を横断するような方向に延在する前縁及び後縁が設けられ、
上記前縁及び上記後縁の付近には、上記調節装置によって動かされることが可能である別個のブラシが設けられることを特徴とする請求項２記載の吸引付属装置。
【請求項４】
脚と、上記脚の仮想面に延在し、上記脚の縁によって境界付けされる吸引開口と、上記脚を真空掃除機の吸引路に接続する接続部材とが設けられ、
上記脚には、上記縁の付近にブラシが設けられ、上記ブラシは、調節装置によって、上記ブラシが上記吸引開口内に引っ込められる第１の位置から、上記ブラシが上記吸引開口から出る第２の位置に動かされることが可能である、真空掃除機用の吸引付属装置であって、
上記脚は、上記接続部材に対し、上記吸引開口に対し略垂直に延在する回転軸の周りで第１の位置から少なくとも第２の位置となるよう回転可能であり、
上記調節装置は結合部材を含み、上記結合部材によって上記ブラシは上記接続部材に結合され、上記結合部材は、上記脚が上記第１の位置にあるときに上記ブラシをその第１の位置に保持し、上記脚が上記第２の位置にあるときに上記ブラシをその第２の位置に保持し、
上記脚はその第１の位置では、上記脚の移動方向に対し略垂直に延在し、その一方で、上記脚はその第２の位置では、上記第１の位置に対し略１８０°の角度で回転軸の周りを回転され、
上記脚は、上記脚がその第１の位置に対し略９０°の角度で回転される第３の位置、及び、上記脚がその第１の位置に対し略２７０°の角度で回転される第４の位置となるよう上記回転軸の周りを回転可能であり、
上記結合部材は、上記脚が上記第３の位置にあると上記ブラシをその第１の位置に保持し、上記脚が上記第４の位置にあると上記ブラシをその第２の位置に保持する、
ことを特徴とする吸引付属装置。
【請求項５】
上記吸引付属装置は、ロック装置が設けられ、 上記ロック装置によって、上記脚は、上記接続部材に対し、上記４つの位置のうちの少なくとも１つの位置に固定されることが可能であることを特徴とする請求項４記載の吸引付属装置。
【請求項６】
上記接続部材は、上記吸引開口に対し略垂直に延在する中心軸を有する略円筒状の部分と、上記真空掃除機の上記吸引路に接続可能である接続路とが設けられ、
上記脚は、上記円筒状の部分の周りを回転可能であるよう支承され、その一方で上記接続路は、上記中心軸に対し略垂直に延在するピボット軸の周りを、上記円筒状の部分に対しピボット可能であることを特徴とする請求項１乃至５のうちいずれか一項記載の吸引付属装置。
【請求項７】
電気吸引ユニットが収容される筐体と、
吸引路を介し上記吸引ユニットに結合可能であり、脚と、上記脚の仮想面内に延在し、上記脚の縁によって境界付けされる吸引開口と、上記脚を上記吸引路に接続する接続部材とが設けられ、上記脚には、縁の近くにおいてブラシが設けられ、上記ブラシは、調節装置によって、上記ブラシが上記吸引開口内に引っ込められる第１の位置から上記ブラシが上記吸引開口から出る第２の位置に移動することが可能である吸引付属装置とが設けられ、
上記吸引付属装置は、請求項１乃至６のうちいずれか一項記載の吸引付属装置であることを特徴とする真空掃除機。
【発明の詳細な説明】
【０００１】
本発明は、真空掃除機用の吸引付属装置に関わり、吸引付属装置は、脚、脚の仮想面に延在し、脚の縁によって境界付けされる吸引開口、及び、脚を真空掃除機の吸引路に接続する接続部材とが設けられ、脚は、縁に近くにおいてブラシが設けられ、ブラシは、調節装置によって、ブラシが吸引開口内に引っ込められる第１の位置から、ブラシが吸引開口から出る第２の位置に動かされることが可能である。
【０００２】
本発明は、内部に電気吸引ユニットが収容される筐体と、吸引路を介し吸引ユニットに結合することが可能であり、脚、脚の仮想面内に延在し、脚の縁によって境界付けされる吸引開口、及び、脚を吸引路に接続する接続部材が設けられ、脚には、縁に近くにおいてブラシが設けられ、ブラシは、調節装置によって、ブラシが吸引開口内に引っ込められる第１の位置から、ブラシが吸引開口から出る第２の位置に移動することが可能である吸引付属装置とが設けられる真空掃除機に関する。
【０００３】
冒頭部に記載されるような種類の真空掃除機及び吸引付属装置は、既知であり、一般的に使用されている。既知の吸引付属装置では、ブラシを移動させる調節装置は、脚の上側に設けられ、真空掃除機の使用者によって、例えば、脚によって動作されることが可能であるタンブラノブを含む。このタンブラノブは、調節機構によって支持体に結合され、この支持体は、脚内で移動可能に案内され、その上にブラシが固定される。タンブラノブを動作することによって、使用者は、第１の位置から第２の位置へ、また、第２の位置から第１の位置へブラシを移動することが可能である。ブラシは、その第１の位置では、吸引開口内に引っ込められ、吸引付属装置は、カーペットを清掃するよう好適に使用されることが可能である。ブラシは、その第２の位置では、吸引開口から出て、吸引付属装置は、滑らかなフロア面を清掃するよう好適に使用されることが可能である。
【０００４】
公知の真空掃除機及び公知の吸引付属装置の欠点は、タンブラノブはその比較的小さい寸法によって、動作するのがむしろ厄介なことである。この結果、公知の真空掃除機及び公知の吸引付属装置は使い勝手が悪くなっている。
【０００５】
本発明は、冒頭部に記載されような種類の吸引付属装置及び真空掃除機を提供することを目的とする。これらは、吸引付属装置のブラシを移動させる調節装置が少ない労力で動作することを可能にし、それにより、吸引付属装置と真空掃除機の使い勝手の良さが改善される。
【０００６】
この目的を達成するために、本発明の吸引付属装置は、脚が接続部材に対し、吸引開口に対し略垂直に延在する回転軸の周りで第１の位置から少なくとも第２の位置となるよう回転可能であり、調節装置は結合部材を含み、結合部材によってブラシは接続部材に結合され、結合部材は、脚が第１の位置にあるときにブラシを第１の位置に保持し、また、脚が第２の位置にあるときにブラシを第２の位置に保持することを特徴とする。
【０００７】
上述の目的を達成するために、本発明の真空掃除機は、真空掃除機に使用される吸引付属装置は、本発明の吸引付属装置であることを特徴とする。
【０００８】
ブラシは、結合部材によって回転式の脚に結合され、結合部材は、脚が第１の位置にあるときにブラシを第１の位置に保持し、脚が第２の位置にあるときにブラシを第２の位置に保持するので、本発明の吸引付属装置のブラシは、脚を回転軸の周りで第１の位置から第２の位置に、及び、第２の位置から第１の位置にそれぞれ回転させることにより、ブラシの第１の位置から第２の位置に、及び、第２の位置から第１の位置に移動することが可能である。脚は比較的大きな寸法を有するので、使用者は、脚を回転させブラシを移動させるのに必要である回転軸回りのトルクを加えるために、脚に比較的小さい力のみを加える必要があり、それにより、調節装置の動作は比較的手軽であり、吸引付属装置の使い勝手の良さは改善される。回転軸は吸引開口に対し略垂直に延在するので、吸引開口は、脚の動作時には仮想面に略留まったままである。これにより、脚の第１の位置において、また、清掃されるべき表面に対する接続部材の所定の位置において吸引開口が清掃されるべき表面に対し平行に延在すると、次に、脚の第２の位置において、また、接続部材の所定の位置において、吸引開口はここでも、表面に対し略平行に延在する。
【０００９】
本発明の吸引付属装置の特定の実施例は、脚はその第１の位置では、脚の移動方向に対し略垂直に延在し、その一方で、脚はその第２の位置では、第１の位置に対し略１８０°の角度で回転軸の周りを回転されることを特徴とする。脚は、その第１の位置では、移動方向に対し略垂直に延在し、その第２の位置では、第１の位置に対し略１８０°の角度で回転軸の周りを回転されるので、脚は、その第２の位置においても、移動方向に対し略垂直に延在し、それにより、脚は、その第１の位置及び第２の位置において、清掃されるべき表面に対し似たように配置され、移動方向に対し垂直に見ると似たような吸引範囲を有する。
【００１０】
本発明の吸引付属装置の更なる実施例は、脚に、移動方向に対し横断するような方向に延在する前縁及び後縁が設けられ、前縁と後縁の付近には、調節装置によって動かされることが可能である別個のブラシが設けられることを特徴とする。本実施例では、脚は、移動方向に対し垂直に延在する主軸に対し略左右対称である。その結果、脚は、その第１の位置及び第２の位置において、清掃されるべき表面に対し略等しい位置を占め、脚は、第１の位置及び第２の位置において略等しい吸引特徴を有する。
【００１１】
本発明の吸引付属装置の更なる実施例は、脚が第１の位置に対し略９０°の角度で回転される第３の位置、及び、脚が第１の位置に対し略２７０°の回転で回転される第４の位置となるよう脚は回転軸の周りを回転可能であり、結合部材は、脚が第３の位置にあるとブラシをその第１の位置に保持し、脚が第４の位置にあるとブラシをその第２の位置に保持することを特徴とする。この実施例では、脚は、その第１の位置及び第２の位置では、吸引付属装置の移動方向に対し略垂直に延在し、それにより、吸引付属装置は、移動方向に対し垂直に見ると比較的広い吸引範囲を有し、また、脚は、その第３の位置及び第４の位置では、移動方向と略平行に延在し、それにより、吸引付属装置は、移動方向に対し略垂直に見ると比較的狭い吸引範囲を有する。従って、脚が第１の位置及び第２の位置にあるときは、吸引付属装置は通常の使用に好適であり、脚が第３の位置及び第４の位置にあるときは、吸引付属装置は比較的狭い空間又は隅部に使用するのに好適である。比較的大きい吸引範囲と比較的狭い吸引範囲とを組合わせ、吸引付属装置は、脚をその第１の位置から第２の位置に又は第２の位置から第１の位置に、及び、その第３の位置から第４の位置に又は第４の位置から第３の位置に回転することによってブラシが出ても出ていなくても使用することが可能となる。従って、吸引付属装置は、比較的多数の適用を有する。
【００１２】
本発明の吸引付属装置の特定の実施例は、吸引付属装置にロック装置が設けられ、ロック装置によって、脚は、接続部材に対しその４つの位置のうちの少なくとも１つの位置に固定されることが可能であることを特徴とする。このロック装置を使用することによって、脚が、動作時に加えられる操作力によって当該の位置から偶発的に回転することが阻止される。従って、吸引付属装置の使い勝手の良さが更に改善される。
【００１３】
本発明の吸引付属装置の更なる実施例は、接続部材に、吸引開口に対し略垂直に延在する中心軸を有する略円筒状の部分と、真空掃除機の吸引路に接続されることが可能である接続路とが設けられ、脚は、円筒部の周りを回転可能であるよう支承され、その一方で接続路は、中心軸に対し略垂直に延在するピボット軸の周りで、円筒部に対しピボット可能であることを特徴とする。この実施例では、脚の回転軸は、接続部材の円筒部の中心軸に略一致する。円筒部及び接続路を使用することにより、吸引付属装置の実際的且つ効果的な構成が得られ、ここでは、脚は効果的且つ耐性強い方法で回転可能に支承され、接続路は実際的且つ使用者フレンドリな方法でピボット可能である。
【００１４】
本発明の吸引付属装置の更なる実施例は、接続部材に吸引開口に対し略垂直に延在する中心軸を有する略円筒状の部分が設けられ、脚は、円筒部の周りを回転可能であるよう支承され、その一方で、結合部材に円筒部の外壁に設けられるスロット、中心軸と略平行な方向において脚内で移動可能に案内されるよう脚内に案内されるブラシ用の支持体、及び、支持体上に設けられ、スロットと係合するスロット従動部が設けられることを特徴とする。この実施例では、結合部材は、実際的且つ単純な方法で具現化され、スロットは脚の回転方向に見ると、脚の位置の関数として、ブラシを有する支持体の所望の移動に対応する外形を有する。
【００１５】
本発明の上述した面及び他の面は、以下に説明する実施例を参照することにより明らかになろう。
【００１６】
図１に示す本発明の真空掃除機は、いわゆるシリンダ真空掃除機であり、幾つかの車輪３によって、清掃されるべき表面５上を移動することが可能である筐体１を含む。筐体１は、電気吸引ユニット７を収容し、これは図１では概略的にのみ示される。真空掃除機は更に、本発明の吸引付属装置９を含み、付属装置には、脚１１と、仮想面１３に延在する脚内の吸引開口１５が設けられる。図１に示されるように、清掃されるべき表面５上の吸引付属装置９の動作位置では、吸引開口１５の仮想面１３は、清掃されるべき表面５と略平行に延在する。吸引付属装置９は、吸引路１７によって筐体１に着脱可能に接続される。吸引路１７は、金属吸引管１９及び弾性吸引ホース２１を含む。吸引付属装置９は接続部材２３を含み、接続部材によって吸引付属装置９は吸引管１９に着脱可能に結合され、その一方で吸引管１９は、吸引ホース２１に取付けられる管状ハンドル２５に着脱可能に結合され、また、吸引ホース２１は、筐体１の入力２７に着脱可能に結合される。入力２７は、筐体１の集塵室２９につながり、集塵室２９は、フィルタ３１を介し吸引ユニット７に接続される。動作時には、吸引ユニット７は、集塵室２９及び吸引路１７を介して、吸引付属装置９内に真空を発生させ、その影響下で、清掃されるべき表面５上にある埃や汚れの粒子が、吸引付属装置９の吸引開口１５及び吸引路１７を介し集塵室２９へ吸引され、そこにおいて、埃や汚れの粒子は、交換可能なごみ袋に集められる。
【００１７】
本発明の吸引付属装置９を図２乃至図４に詳細に示す。図２に示されるように、吸引付属装置９の脚１１は、略ダイアモンドの形状をしており、脚１１は、脚１１の幅方向Ｙに延在する第１の軸３３、及び、脚１１の長手方向Ｚに延在する第２の軸３５に対し略左右対称である。幅方向Ｙに見ると、脚１１は、長手方向Ｚに見た際の脚１１の長さＬに対し比較的大きい幅Ｗを有する。図２は、接続部材２３に対する脚１１の第１の位置を示し、この位置では、脚１１、即ち、第１の軸３３は、清掃されるべき表面５上の脚１１の移動方向Ｘに対し略垂直である。脚１１は更に、脚１１の吸引開口１５を境界付けする前縁３７及び後縁３９を含み、これらは両方とも、図２に示す脚１１の第１の位置では、移動方向Ｘに対し横方向に延在する。
【００１８】
図５に、吸引付属装置９の接続部材２３を詳細に示す。接続部材２３は、吸引開口１５の仮想面１４に対し略垂直に延在する中心軸４３を有する略円筒状の部分４１が設けられる。接続部材２３は更に、真空掃除機の吸引管１９に着脱可能である接続路４５が設けられる。接続路４５は、円筒部４１及び脚１１に対し、図２に示されるピボット軸４７の周りをピボット可能である。ピボット軸４７は、中心軸４３に対し略垂直に、且つ、脚１１の幅方向Ｙと略平行に延在する。図４に示されるように、接続路４５は、ピボット可能であるよう曲り管４９を含み、これは、接続路４５が円筒部４１の更なる曲り管５１についてピボットする際に伸縮する。脚は、接続部材２３の円筒部４１の周りをピボット可能であるよう取付けられる。図３及び４に示されるように、脚１１には、ピボット可能であるようリング状の案内手段５３が設けられ、これは、円筒部４１のリング状スロット５５と係合する。図５にも示されるリング状スロット５５は、円筒部４１の上部５９のフランジ５７と、円筒部４１の下部６３のフランジ６１との間に配置され、下部は上部に取付けられる。脚１１は、円筒部４１の周りを回転可能であるよう取付けられるので、脚１１は、図２に示す第１の位置から以下により詳細に説明する幾つかの更なる位置となるよう、接続部材２３に対し、吸引開口１５の仮想面１３に略垂直に延在し、円筒部４１の中心軸４３に略一致する回転軸６５の周りを回転可能である。
【００１９】
図４に示されるように、脚１１には、脚１１の前縁３７の付近に配置される第１のブラシ６７と、脚１１の後縁３９の付近に配置される第２のブラシ６９が設けられる。第１のブラシ６７及び第２のブラシ６９は、脚１１の幅Ｗの略全体に亘って前縁３７及び後縁３９のそれぞれに沿って延在する。第１のブラシ６７及び第２のブラシ６９は、図３及び４に示される共通の支持体７１上に設けられ、支持体は、脚１１に対し、脚１１に設けられる２つの案内ブシュ７３、７５に沿って回転軸６５と平行な垂直方向に移動可能となるよう案内される。支持体７１は、図３に示す結合部材７７の一部を形成し、結合部材７７によって、ブラシ６７、６９は、接続部材２３に結合される。結合部材７７には、図５に部分的に示されるが、円筒部４１の外壁に設けられる２つの略リング状のスロット７９、８１と、回転軸６５について支持体７１上に正反対に設けられ、スロット７９、８１のうちの１つに係合する２つのカム状のスロット従動部８３、８５とが更に設けられる。図５に示すように、スロット７９、８１は回転軸６５に対し略垂直に延在する２つの平行な仮想面に延在し、スロット７９、８１は、２つの正反対の位置８７において交差して相互接続される。尚、図５では、２つの位置８７のうち１つの位置のみが可視である。図３に示すように、接続部材２３に対する脚１１の第１の位置では、スロット従動部８３、８５は、それぞれ一番上のスロット７９に位置し、それにより、支持体７１及びブラシ６７、６９は、結合部材７７によって脚１１に対し第１の位置で保持され、この第１の位置では、ブラシ６７、６９は、吸引開口５１内に引っ込められる。真空掃除機の使用者が、図２乃至４に示す第１の位置から回転軸６５の周りで脚１１を回転させると、スロット従動部８３、８５は同時に２つの位置８７を通過し、その結果、スロット従動部８３、８５は一番上のスロット７９から一番下のスロット８１に案内される。その結果、支持体７１及びブラシ６７、６９は、回転軸６５に略平行な方向において結合部材７７によって第１の位置から、ブラシ６７、６９が吸引開口１５から出る第２の位置に、脚１１について動かされる。このようにして、結合部材７７は回転可能な脚１１と供に、本発明の吸引付属装置９の調節装置を形成し、この調節装置によって、ブラシ６７、６９は、第１の位置から第２の位置へ、また、第２の位置から第１の位置へ移動することが可能である。ブラシ６７、６９が吸引開口１５内に引っ込められるブラシ６７、６９の第１の位置では、吸引付属装置９はカーペットを清掃するのに好適であり、ブラシが吸引開口１５から出るブラシ６７、６９の第２の位置では、吸引付属装置９は滑らかな及び／又は堅い表面を清掃するのに好適である。回転軸６５の周りで脚１１を回転させる、従って、脚１１内の支持体７１及びブラシ６７、６９を動かすために、使用者は、脚１１に回転軸６５回りのトルクを加えなければならない。脚１１は比較的大きい寸法を有するので、トルクが得られるよう使用者が脚１１に加えなければならない力は比較的小さく、従って、本発明の吸引付属装置９の調節装置を動作するためにはあまり労力を必要としない。これにより、本発明の吸引付属装置９の使い勝手の良さがかなり改善される。回転軸６５は、吸引開口１５の仮想面１３に対し略垂直に延在するので、吸引開口１５は、脚１１の回転軸６５の周りでの回転の際も、仮想面１３から外れて動くことはほとんどない。このようにして、清掃されるべき表面５上の吸引付属装置９の動作位置、特に、清掃されるべき表面５に対する接続部材２３の位置は、脚１１が回転する際も略変化せず、これは、更に、本発明の吸引付属装置９の使い勝手の良さに対し好適な影響を与える。
【００２０】
図６Ｂ乃至図６Ｄは、脚１１が上述された図６Ａに示す第１の位置から回転軸６５の周りで回転されてなることが可能である、接続部材２３に対する脚１１の幾つかの位置を示す。脚１１は第１の位置から図６Ｃに示す第２の位置に回転可能であり、第２の位置では、脚は、第１の位置に対し略１８０°の角度で回転軸６５の周りを回転されている。図３及び図５から分かるように、スロット従動部８３、８５は、脚１１が、脚１１の第１の位置から約４５°の角度を回転した後に位置８７を通過するので、図６Ｃに示す脚１１の第２の位置では、ブラシ６７、６９は第２の位置にある。脚１１は、第１の位置から図６Ｂに示す、脚１１が第１の位置に対し略９０°の角度で回転軸の周りを回転される第３の位置に、また、第１の位置に対し略２７０°の角度で回転軸６５の周りを回転される第４の位置に回転可能である。スロット従動部８３、８５は、脚１１が脚１１の第１の位置から略４５°の角度を回転した後に位置８７を通過するので、脚１１が図６Ｂに示す第３の位置にあるとブラシ６７、６９も第２の位置にある。脚１１が、図６Ｃに示す第２の位置から図６Ｄに示す第４の位置に回転されると、スロット従動部８３、８５は再び位置８７を通過するので、ブラシ６７、６９は、脚１１が第４の位置にあると再び第１の位置にある。脚１１を直接回転しても、即ち、図６Ａに示す第１の位置から回転軸６５の周りを−９０°の角度で回転し図６Ｄに示す第４の位置にしても同様の結果が得られる。なぜなら、この場合、スロット従動部８３、８５は位置８７を通過せず、それにより、ブラシ６７、６９は第１の位置のままであるからである。脚１１は第１の軸３３及び第２の軸３５について略左右対称であるので、脚１１は、図６Ａに示す第１の位置及び図６Ｃに示す第２の位置において、移動方向Ｘ及び清掃されるべき表面に対し似た位置をとり、従って、脚１１は、第１の位置及び第２の位置において略等しい吸引特性を有し、移動方向Ｘに対し垂直に見ると同じように比較的大きい吸引範囲を有する。同様の理由から、脚１１は、図６Ｂに示す第３の位置及び図６Ｄに示す第４の位置において、移動方向Ｘ及び清掃されるべき表面に対し似た位置をとり、従って、脚１１は、第３の位置及び第４の位置において略等しい吸引特性を有し、移動方向Ｘに対し垂直に見ると同じように比較的狭い吸引範囲を有する。脚１１の第１の位置及び第２の位置では、本発明の吸引付属装置９は通常の使用に好適である一方で、脚１１の第３の位置及び第４の位置では、吸引付属装置９は比較的狭い空間又は隅部に使用するのに好適である。比較的広い吸引範囲と比較的狭い吸引範囲を組合せ、吸引付属装置９は、脚１１をその第１の位置から第２の位置へ又は第２の位置から第１の位置に、及び、第３の位置から第４の位置へ又は第４の位置から第３の位置に回転することによってブラシ６７、６９が出ても出ていなくても、即ち、堅い表面及びカーペットの両方に使用することが可能である。これにより、本発明の吸引付属装置９は、比較的多数の適用を有する。
【００２１】
吸引付属装置９には更に、ロック装置８９が設けられ、ロック装置８９によって、脚１１は、図６Ａ乃至図６Ｄに示されるいずれかの位置に、接続部材２３に対し固定されることが可能である。ロック装置８９は、接続部材２３の円筒部４１の外壁に互いに正反対となるよう設けられる２つの弾性舌部９１を含む。図５には、２つの舌部９１のうちの１つを示す。舌部の端部には、ロックカム９３が設けられる。図３には、両方のロックカム９３が断面で示される。図３に示されるように、脚１１の第１の位置及び第２の位置では、ロックカム９３は、接続部材２３の円筒部４１を取り囲む脚１１の略円筒状の壁９７に互いに正反対となるよう設けられる２つの開口９５内に入る。脚の第３の位置及び第４の位置では、ロックカム９３は、図示されない２つの似たような開口に入る。脚１１をその４つの位置のうちの１つから回転させると、使用者は、２つのロックカム９３が当該の開口から出て、２つの舌部９１を弾性変形することによる僅かに増加した抵抗を感じる。これにより、脚１１が、動作時に加えられる操作力によって当該の位置から偶発的に回転することが阻止される。従って、本発明の吸引付属装置９の使い勝手の良さは更に改善される。
【００２２】
上述した本発明の真空掃除機は、シリンダ真空掃除機である。尚、本発明は、例えば、いわゆるアップライト真空掃除機といった別の種類の真空掃除機も含む。アップライト真空掃除機では、吸引付属装置は、例えば、筐体にピボット可能に結合され、筐体は、アップライト真空掃除機が動作位置にあるとき、略直立の位置にある。
【００２３】
尚、本発明は更に、脚が回転して別の幾つかの異なる位置となる、又は、制限された角度でのみ回転することが可能である吸引付属装置も含む。例えば、本発明は、第１の位置から第２の位置に１８０°の角度のみで回転することが可能である脚を有する吸引付属装置を含み、脚が第１の位置にあるとブラシはその第１の位置にあり、脚が第２の位置にあるとブラシはその第２の位置にある。本発明は更に、第１の位置から第２の位置に１８０°以下の角度、更には９０°以下の角度で回転することが可能である脚を有する吸引付属装置も含む。このような実施例では、脚は、例えば、円形であり、それにより、各位置において、脚は、清掃されるべき表面に対し類似の動作位置を占める。
【図面の簡単な説明】
【図１】  本発明の真空掃除機を示す図である。
【図２】  図１に示す真空掃除機に使用される本発明の吸引付属装置を示す図である。
【図３】  図２の線ＩＩＩ−ＩＩＩについての吸引付属装置の断面図である。
【図４】  図３の線ＩＶ−ＩＶについての吸引付属装置の断面図である。
【図５】  図２に示す吸引付属装置の接続部材を示す図である。
【図６Ａ】  図２に示す吸引付属装置の脚の接続部材に対する４つの異なる位置のうちの１つを示す図である。
【図６Ｂ】  図２に示す吸引付属装置の脚の接続部材に対する４つの異なる位置のうちの１つを示す図である。
【図６Ｃ】  図２に示す吸引付属装置の脚の接続部材に対する４つの異なる位置のうちの１つを示す図である。
【図６Ｄ】  図２に示す吸引付属装置の脚の接続部材に対する４つの異なる位置のうちの１つを示す図である。
【図１】
0004686101.tif 000002
【図２】
0004686101.tif 000003
【図３】
0004686101.tif 000004
【図４】
0004686101.tif 000005
【図５】
0004686101.tif 000006
【図６Ａ】
0004686101.tif 000007
【図６Ｂ】
0004686101.tif 000008
【図６Ｃ】
0004686101.tif 000009
【図６Ｄ】
0004686101.tif 000010